(57)【要約】【課題】  輝度ムラを改善する。【解決手段】  画素回路２００において、補正期間ではトランジスタ２１２がオン、トランジスタ２１１、２１３及び２１４がオフとなる。一方、発光期間では、トランジスタ２１１がオン、トランジスタ２１２〜２１４がオフとなる。Ｙドライバは発光期間の長さに応じて補正期間の長さを調整するたように制御信号ＧＳＥＴ−ｉがＬレベルとなる期間を設定する。具体的は、発光期間の長さが短いほど、補正期間の長さを長くする。これにより、駆動トランジスタのしきい値電圧が正確に補償される。【選択図】      図１
2006285117.tif 000002
【特許請求の範囲】
【請求項１】
発光素子と前記発光素子に流れる駆動電流の電流量を制御する駆動トランジスタとを備
えた電子回路を駆動し、前記発光素子を発光させる発光期間と前記駆動トランジスタから
出力される前記駆動電流のバラツキを補正する補正期間と含む単位時間を所定の周期で繰
り返す電子回路の駆動方法であって、
前記駆動トランジスタから出力される前記駆動電流を前記発光素子に供給する期間を調
整して前記発光期間の長さを調整し、
前記発光期間の長さに応じて前記補正期間の長さを調整する、
ことを特徴とする電子回路の駆動方法。
【請求項２】
前記電子回路は、前記駆動トランジスタのゲート電圧を保持する保持手段と、前記駆動
トランジスタと前記発光素子との間に設けられた第１スイッチング手段と、前記駆動トラ
ンジスタのゲートとドレインの間に設けられた第２スイッチング手段とを備え、
前記第１スイッチング手段をオン状態にすると共に前記第２スイッチング手段をオフ状
態とする期間を調整して、前記発光期間の長さを調整し、
前記第１スイッチング手段をオフ状態にすると共に前記第２スイッチング手段をオン状
態にする期間を調整して、前記補正期間の長さを調整する、
ことを特徴とする請求項１に記載の電子回路の駆動方法。
【請求項３】
前記発光期間の長さが短いほど前記補正期間の長さが長くなるように調整することを特
徴とする請求項１又は２に記載の電子回路の駆動方法。
【請求項４】
前記発光期間の長さが短くなっても所定の長さを超えないように前記補正期間の長さを
設定することを特徴とする請求項１乃至３のうちいずれか１項に記載の電子回路の駆動方
法。
【請求項５】
前記単位時間は垂直走査の１周期であり、前記補正期間は複数の走査線選択期間に跨る
ように設定されていることを特徴とする請求項１乃至４のうちいずれか１項に記載の電子
回路の駆動方法。
【請求項６】
発光素子と、前記発光素子に流れる駆動電流の電流量を制御する駆動トランジスタと、
前記駆動トランジスタのゲート電圧を保持する保持手段と、前記駆動トランジスタと前記
発光素子との間に設けられ、第１制御信号によってオン・オフが制御される第１スイッチ
ング手段と、前記駆動トランジスタのゲートとドレインの間に設けられ、第２制御信号に
よってオン・オフが制御される第２スイッチング手段とを備えた電子回路を駆動する駆動
回路であって、
前記発光素子を発光させる発光期間の長さに応じて、前記駆動トランジスタから出力さ
れる前記駆動電流のバラツキを補正する補正期間の長さを調整する調整手段と、
前記発光期間において前記第１スイッチング手段をオン状態にし、前記補正期間におい
て前記第２スイッチング手段をオフ状態にする前記第１制御信号を生成して前記電子回路
に供給する第１制御手段と、
前記発光期間において前記第１スイッチング手段をオフ状態にし、前記補正期間におい
て前記第２スイッチング手段をオン状態にする前記第１制御信号を生成して前記電子回路
に供給する第２制御手段と、
を備えたことを特徴とする電子回路の駆動回路。
【請求項７】
前記調整手段は、前記発光期間の長さが短いほど前記補正期間の長さが長くなるように
調整することを特徴とする請求項６に記載の電子回路の駆動回路。
【請求項８】
前記調整手段は、前記発光期間の長さが短くなっても所定の長さを超えないように前記
補正期間の長さを設定することを特徴とする請求項６又は請求項７に記載の電子回路の駆
動回路。
【請求項９】
複数の画素回路とこれを駆動する駆動回路を備えた発光装置であって、
前記画素回路は、
発光素子と、
前記発光素子に流れる駆動電流の電流量を制御する駆動トランジスタと、
前記駆動トランジスタのゲート電圧を保持する保持手段と、
前記駆動トランジスタと前記発光素子との間に設けられ、第１制御信号によってオン・
オフが制御される第１スイッチング手段と、
前記駆動トランジスタのゲートとドレインの間に設けられ、第２制御信号によってオン
・オフが制御される第２スイッチング手段とを備え、
前記駆動回路は、
前記発光素子を発光させる発光期間の長さに応じて、前記駆動トランジスタから出力さ
れる前記駆動電流のバラツキを補正する補正期間の長さを調整する調整手段と、
前記発光期間において前記第１スイッチング手段をオン状態にし、前記補正期間におい
て前記第２スイッチング手段をオフ状態にする前記第１制御信号を生成して前記電子回路
に供給する第１制御手段と、
前記発光期間において前記第１スイッチング手段をオフ状態にし、前記補正期間におい
て前記第２スイッチング手段をオン状態にする前記第１制御信号を生成して前記電子回路
に供給する第２制御手段と、
を備えたことを特徴とする発光装置。
【請求項１０】
請求項９に記載の発光装置を備えた電子機器。
【発明の詳細な説明】
【技術分野】
【０００１】
本発明は、有機発光ダイオード素子のような発光素子を備えた電子回路の駆動方法及び
駆動回路、発光装置、並びに電子機器に関する。
【背景技術】
【０００２】
近年、液晶素子に代わる次世代の発光デバイスとして、有機エレクトロルミネッセンス
素子や発光ポリマー素子などと呼ばれる有機発光ダイオード（Organic Light Emitting
Diode、以下適宜「ＯＬＥＤ素子」と略称する）素子が注目されている。このＯＬＥＤ素
子は、自発光型であるために視野角依存性が少なく、また、バックライトや反射光が不要
であるために低消費電力化や薄型化に向いているなど、表示パネルとして優れた特性を有
している。
ここで、ＯＬＥＤ素子は、液晶素子のように電圧保持性を有さず、電流が途絶えると、
発光状態が維持できなくなる電流型の被駆動素子である。このため、ＯＬＥＤ素子をアク
ティブ・マトリクス方式で駆動する場合、書込期間（選択期間）において、画素の階調に
応じた電圧を駆動トランジスタのゲートに書き込んで、当該電圧をゲート容量などにより
保持し、当該ゲート電圧に応じた電流を駆動トランジスタがＯＬＥＤ素子に流し続ける事
が一般的となっている。
【０００３】
この構成では、駆動トランジスタのしきい値電圧特性がばらつくことによって、画素ご
とに、ＯＬＥＤ素子の明るさが相違して表示品位が低下する、という問題が指摘されてい
る。このため、特許文献１には、書込期間において、当該駆動トランジスタをダイオード
接続させるとともに、駆動トランジスタからデータ線に定電流を流し、これによって、当
該駆動トランジスタのゲートに、ＯＬＥＤ素子に流すべき電流に応じた電圧を書き込むよ
うにプログラミングして、駆動トランジスタのしきい値電圧特性のばらつきを補償する技
術が開示されている。また、特許文献１には、ＯＬＥＤ素子と駆動トランジスタとの間に
スイッチングトランジスタを設け、駆動電流をＯＬＥＤ素子に供給して発光させる発光期
間を調整することができる技術が開示されている。
【特許文献１】特開２００３−１７７７０９号公報（図４参照）
【発明の開示】
【発明が解決しようとする課題】
【０００４】
ところで、しきい値電圧を補償する補正期間においては、スイッチングトランジスタを
オフ状態にする一方、発光期間においてはスイッチングトランジスタをオン状態にするが
、補正期間の長さは発光期間とは無関係に固定であった。そして、補正期間の長さは、１
フレーム期間から最大輝度を表示する場合の発光期間を除いた期間に定められていた。こ
のため、補正期間において充分にしきい値電圧の補償が実行されず、表示ムラが発生する
という問題があった。特に、人の視感特性は暗い画面の方がわずかな輝度ムラであっても
検知するといった性質がある。このため、低輝度で表示ムラが目立ち易いといった問題が
あった。
【０００５】
本発明は、上述した事情に鑑みてなされたものであって、表示ムラを改善した電子回路
の駆動方法及び駆動回路、発光装置、並びに電子機器を提供することを解決課題とする。
【課題を解決するための手段】
【０００６】
上記課題を解決するために本発明に係る電子回路の駆動方法は、発光素子と前記発光素
子に流れる駆動電流の電流量を制御する駆動トランジスタとを備えた電子回路を駆動し、
前記発光素子を発光させる発光期間と前記駆動トランジスタから出力される前記駆動電流
のバラツキを補正する補正期間と含む単位時間を所定の周期で繰り返すものであって、前
記駆動トランジスタから出力される前記駆動電流を前記発光素子に供給する期間を調整し
て前記発光期間の長さを調整し、前記発光期間の長さに応じて前記補正期間の長さを調整
する発光素子と前記発光素子に流れる駆動電流の電流量を制御する駆動トランジスタとを
備えた電子回路を駆動し、前記発光素子を発光させる発光期間と前記駆動トランジスタの
しきい値電圧に対する前記駆動電流の電流量を補償する補正期間と含む単位時間を所定の
周期で繰り返す電子回路を駆動する方法であって、前記駆動トランジスタから出力される
前記駆動電流を前記発光素子に供給する期間を調整して前記発光期間の長さを調整し、前
記発光期間の長さに応じて前記補正期間の長さを調整することを特徴とする。
【０００７】
この発明によれば、発光期間の長さに応じて補正期間の長さを調整できる。補正期間で
は駆動トランジスタの駆動電流のバラツキが補正される。このバラツキは駆動トランジス
タのしきい値電圧に依存する。補正期間が長くなるほど補正の精度が向上し、しきい値電
圧が製造プロセスでばらついても輝度ムラを改善することができる。ここで、処理の繰り
返しの単位となる単位時間の中に発光期間と補正期間が含まれる。一方、発光期間が短く
なると輝度が暗くなり、補正期間に割り当てることができる期間が長くなる。従って、そ
のような場合に補正期間の長さを長くすれば、輝度ムラを改善することができる。なお、
発光素子は駆動電流の供給を受けて発光する素子であればどのような素子であってもよく
、例えば、有機発光ダイオード及び無機発光ダイオードが該当する。
【０００８】
上述した電子回路の駆動方法において、前記電子回路は、前記駆動トランジスタのゲー
ト電圧を保持する保持手段と、前記駆動トランジスタと前記発光素子との間に設けられた
第１スイッチング手段と、前記駆動トランジスタのゲートとドレインの間に設けられた第
２スイッチング手段とを備え、前記第１スイッチング手段をオン状態にすると共に前記第
２スイッチング手段をオフ状態とする期間を調整して、前記発光期間の長さを調整し、前
記第１スイッチング手段をオフ状態にすると共に前記第２スイッチング手段をオン状態に
する期間を調整して、前記補正期間の長さを調整することが好ましい。この場合には、第
１スイッチング手段及び第２スイッチング手段のオン・オフを調整することによって、発
光期間と補正期間の長さを調整することができる。
【０００９】
ここで、前記発光期間の長さが短いほど前記補正期間の長さが長くなるように調整する
ことが好ましい。人の目には暗い画面で僅かな輝度の差を検知する視覚特性がある。従っ
て、発光期間の長さが短いほど正確な輝度で表示することが必要とされる。この発明によ
れば、発光期間の長さが短いほど補正期間の長さが長くなるので、より正確に駆動電流の
バラツキを補正することが可能となる。尤も、発光期間の長さが短くなっても所定の長さ
を超えないように補正期間の長さを設定してもよい。補正期間では第１トランジスタがオ
フとなる。しかし、実際にはオフ状態においてもリーク電流が流れる。このため、補正期
間があまりに長いとリーク電流によって、表示輝度に誤差が生じてしまう。そこで、補正
期間が所定の最大値を超えないようにしたのである。
【００１０】
また、上述した電子回路の駆動方法において、前記単位時間は垂直走査の１周期であり
、前記補正期間は複数の走査線選択期間に跨るように設定されることが好ましい。この場
合は、走査線を選択する走査線選択期間を跨って補正期間が設定されるから、補正期間の
長さは１Ｈを超える。
【００１１】
次に、本発明に係る駆動回路は、発光素子と、前記発光素子に流れる駆動電流の電流量
を制御する駆動トランジスタと、前記駆動トランジスタのゲート電圧を保持する保持手段
と、前記駆動トランジスタと前記発光素子との間に設けられ、第１制御信号によってオン
・オフが制御される第１スイッチング手段と、前記駆動トランジスタのゲートとドレイン
の間に設けられ、第２制御信号によってオン・オフが制御される第２スイッチング手段と
を備えた電子回路を駆動する駆動回路であって、前記発光素子を発光させる発光期間の長
さに応じて、前記駆動トランジスタから出力される前記駆動電流のバラツキを補正する補
正期間の長さを調整する調整手段と、前記発光期間において前記第１スイッチング手段を
オン状態にし、前記補正期間において前記第２スイッチング手段をオフ状態にする前記第
１制御信号を生成して前記電子回路に供給する第１制御手段と、前記発光期間において前
記第１スイッチング手段をオフ状態にし、前記補正期間において前記第２スイッチング手
段をオン状態にする前記第１制御信号を生成して前記電子回路に供給する第２制御手段と
、を備える。この発明によれば、発光期間の長さに応じて補正期間の長さを調整すること
によって、輝度ムラを改善することができる。
【００１２】
ここで、前記調整手段は、前記発光期間の長さが短いほど前記補正期間の長さが長くな
るように調整することが、暗い画面で輝度の差を検知し易い人の視覚特性を考慮する点で
好ましい。また、前記調整手段は、前記発光期間の長さが短くなっても所定の長さを超え
ないように前記補正期間の長さを設定することが好ましい。
【００１３】
次に、本発明に係る発光装置は、複数の画素回路とこれを駆動する駆動回路を備えてお
り、前記画素回路は、発光素子と、前記発光素子に流れる駆動電流の電流量を制御する駆
動トランジスタと、前記駆動トランジスタのゲート電圧を保持する保持手段と、前記駆動
トランジスタと前記発光素子との間に設けられ、第１制御信号によってオン・オフが制御
される第１スイッチング手段と、前記駆動トランジスタのゲートとドレインの間に設けら
れ、第２制御信号によってオン・オフが制御される第２スイッチング手段とを備え、前記
駆動回路は、前記発光素子を発光させる発光期間の長さに応じて、前記駆動トランジスタ
から出力される前記駆動電流のバラツキを補正する補正期間の長さを調整する調整手段と
、前記発光期間において前記第１スイッチング手段をオン状態にし、前記補正期間におい
て前記第２スイッチング手段をオフ状態にする前記第１制御信号を生成して前記電子回路
に供給する第１制御手段と、前記発光期間において前記第１スイッチング手段をオフ状態
にし、前記補正期間において前記第２スイッチング手段をオン状態にする前記第１制御信
号を生成して前記電子回路に供給する第２制御手段と、を備えることが好ましい。この発
光装置によれば、発光期間の長さに応じて補正期間の長さを調整することによって、輝度
ムラを改善することができる。
【００１４】
次に、本発明に係る電子機器は、上述した発光装置を備えたものであって、例えば、携
帯電話機、パーソナルコンピュータ、デジタルカメラ、及び携帯情報端末などが該当する
。
【発明を実施するための最良の形態】
【００１５】
＜発光装置の構成＞
図１は、本発明の実施形態に係る発光装置の構成を示すブロック図であり、図２は、画
素回路の回路図である。図１に示されるように発光装置１０は、複数の画素回路２００が
マトリクス状に配列された表示領域Ｚを備える。表示領域Ｚには、複数本の走査線１０２
が横方向（Ｘ方向）に延設される一方、複数本のデータ線（信号線）１１２が図において
縦方向（Ｙ方向）に延設されている。そして、これらの走査線１０２とデータ線１１２と
の交差の各々に対応するように画素回路（電子回路）２００がそれぞれ設けられている。
説明の便宜上、本実施形態では、各表示パネルＺ１〜Ｚ４の走査線１０２の本数（行数
）を「３６０」とし、データ線の本数（列数）を「４８０」として、画素回路２００が、
縦３６０行×横４８０列のマトリクス状に配列する構成を想定する。ただし、本発明をこ
の配列に限定する趣旨ではない。表示領域Ｚには、図示せぬ電源回路から高位側電圧ＶＥ
Ｌ及び低位側電圧ＧＮＤが供給される。画素回路２００には、後述するＯＬＥＤ素子２３
０が含まれ、このＯＬＥＤ素子２３０への電流を画素回路２００毎に制御することによっ
て、所定の画像が階調表示される。
また、図１においては、Ｘ方向に延設されるのは走査線１０２のみであるが、本実施形
態では、走査線１０２のほかにも、図２に示されるように、制御線１０４及び１０６がそ
れぞれ行ごとにＸ方向に延設されている。このため、走査線１０２、制御線１０４及び１
０６が１組となって、１行分の画素回路２００に兼用されている。
【００１６】
Ｙドライバ１４は、１水平走査期間ごとに１行ずつ走査線１０２を選択するとともに、
選択した走査線１０２に対して、Ｌレベルの走査信号を供給するとともに、この選択に同
期した各種制御信号を、制御線１０４及び１０６に、それぞれ供給する。すなわち、Ｙド
ライバ１４は、走査線１０２、制御線１０４及び１０６に対し、行ごとに、走査信号や制
御信号をそれぞれ供給する。説明の便宜上、ｉ行目（ｉは、１≦ｉ≦３６０を満たす整数
であり、行を一般化して説明するためのもの）の走査線１０２に供給される走査信号をＧ
ＷＲＴ−ｉと表記する。同様に、ｉ行目の制御線１０４及び１０６に供給される制御信号
をＧＳＥＴ−ｉ及びＧＥＬ−ｉと、それぞれ表記する。
【００１７】
一方、Ｘドライバ１６は、Ｙドライバ１４によって選択された走査線１０２に対応する
１行分の画素回路、すなわち、選択された行に位置する１〜４８０列の画素回路２００の
各々に、当該画素回路２００のＯＬＥＤ素子２３０に流すべき電流（すなわち、画素の階
調）に応じた電圧のデータ信号を、１〜４８０列目のデータ線１１２を介して、それぞれ
供給する。ここで、データ信号（データ電圧）は、電圧が低いほど、画素が明るくなるよ
うに指定し、反対に、電圧が高いほど、画素が暗くなるように指定する。説明の便宜上、
ｊ列目（ｊは、１≦ｊ≦４８０を満たす整数であり、列を一般化して説明するためのもの
）のデータ線１１２に供給されるデータ信号をＸ−ｊと表記する。
【００１８】
すべての画素回路２００には、ＯＬＥＤ素子２３０の電源となる高位側電圧ＶＥＬが給
電線１１４を介してそれぞれ供給される。また、すべての画素回路２００は、本実施形態
において電圧の基準となる電位ＧＮＤに接地されている。なお、画素の最低階調である黒
色を指定するデータ信号Ｘ−ｊの電圧はＶＥＬよりも低く、画素の最高階調である白色を
指定するデータ信号Ｘ−ｊの電圧はＧＮＤよりも高く設定される。換言すれば、データ信
号Ｘ−ｊの電圧範囲は、電源電圧の内に収まるように設定されている。
制御回路１２は、Ｙドライバ１４及びＸドライバ１６に、それぞれクロック信号（図示
省略）などを供給して両ドライバを制御するとともに、Ｘドライバ１６に、階調を画素ご
とに規定する画像データを供給する。
【００１９】
図２に示されるように、画素回路２００は、ｐチャネル型の駆動トランジスタ２１０と
、スイッチング素子として機能するｐチャネル型のトランジスタ２１１（第１スイッチン
グ手段）、２１２（第２スイッチング手段）、２１３、２１４と、容量素子として機能す
る容量２２１及び２２２と、電気光学素子たるＯＬＥＤ素子２３０とを有する。
このうち、トランジスタ２１１の一端（ソース）は、駆動トランジスタ２１０のドレイ
ン及びトランジスタ２１２の一端（ソース）に接続される一方、トランジスタ２１１の他
端（ドレイン）は、ＯＬＥＤ素子２３０の陽極に接続される。ＯＬＥＤ素子２３０の陰極
は接地されている。ここで、トランジスタ２１１のゲートは、ｉ行目の制御線１０６に接
続されている。このため、トランジスタ２１１は、制御信号ＧＥＬ−ｉがＬレベルであれ
ばオンし、Ｈレベルであればオフする。ＯＬＥＤ素子２３０は、電源の高位側電圧ＶＥＬ
及び低位側電圧ＧＮＤの間の経路に、駆動トランジスタ２１０及びトランジスタ２１１と
ともに電気的に介挿された構成となっている。
駆動トランジスタ２１０のゲートは、容量２２１及び容量２２２の一端、並びにトラン
ジスタ２１２のドレインにそれぞれ接続されている。容量２２２の他端は給電線１１４に
接続される。なお、説明の便宜上、容量２２１の一端（駆動トランジスタ２１０のゲート
）をノードＡとする。また、容量２２２は、駆動トランジスタ２１０のゲート容量などに
起因する寄生容量であってもよい。
【００２０】
トランジスタ２１２は、駆動トランジスタ２１０のドレイン及びゲート間に電気的に介
挿されるとともに、トランジスタ２１２のゲートは、ｉ行目の制御線１０４に接続されて
いる。このため、トランジスタ２１２は、制御信号ＧＳＥＴ−ｉがＬレベルとなったとき
にオンして、駆動トランジスタ２１０をダイオードとして機能させる。
トランジスタ２１３の一端（ソース）は、給電線１１４に接続される一方、その他端（
ドレイン）は、トランジスタ２１４の一端（ドレイン）及び容量２２１の他端にそれぞれ
接続されている。このトランジスタ２１３のゲートは、ｉ行目の制御線１０４に接続され
ている。このため、トランジスタ２１３は、制御信号ＧＳＥＴ−ｉがＬレベルとなったと
きにオンする。
さらに、トランジスタ２１４の他端（ソース）は、ｊ列目のデータ線１１２に接続され
、そのゲートは、ｉ行目の走査線１０２に接続されている。このため、トランジスタ２１
４は、走査信号ＧＷＲＴ−ｉがＬレベルとなったときにオンして、ｊ列目のデータ線１１
２に供給されるデータ信号Ｘ−ｊ（の電圧）を容量２２１の他端に印加する。説明の便宜
上、容量２２１の他端（トランジスタ２１４及びトランジスタ２１３のドレイン）をノー
ドＢとする。
【００２１】
なお、マトリクス型に配列する画素回路２００は、ガラス等の透明基板に、走査線１０
２やデータ線１１２とともに形成されている。このため、駆動トランジスタ２１０や、ト
ランジスタ２１１、２１２、２１３、及び２１４は、ポリシリコンプロセスによるＴＦＴ
（薄膜トランジスタ）によって構成される。また、ＯＬＥＤ素子２３０は、基板上におい
て、ＩＴＯ（酸化錫インジウム）などの透明電極膜を陽極（個別電極）とし、アルミニウ
ムやリチウムなどの単体金属膜又はこれらの積層膜を陰極（共通電極）として、発光層を
挟持した構成となっている。
【００２２】
＜発光装置の動作＞
図３に、発光装置１０の動作を説明するためのタイミングチャートを示す。まず、Ｙド
ライバ１４は、図３に示されるように、１垂直走査期間（１Ｆ）の開始時から、１行目、
２行目、３行目、…、３６０行目の走査線１０２を、順番に１本ずつ１水平走査期間（１
Ｈ）ごとに選択して、選択した走査線１０２の走査信号のみをＬレベルとし、他の走査線
への走査信号をＨレベルとする。
ここで、ｉ行目の走査線１０２が選択されて、走査信号ＧＷＲＴ−ｉがＬレベルとなる
１水平走査期間（１Ｈ）に着目して、当該水平走査期間及びその前後の動作について、図
３とともに、図４〜図７を参照して説明する。
【００２３】
図３に示されるように、走査信号ＧＷＲＴ−ｉがＬレベルに変化するタイミングｔ１よ
りも先行したタイミングｔ０から、ｉ行ｊ列における画素回路２００の書込動作の事前準
備が開始する。そして、タイミングｔ１から書込動作が開始するともに発光が開始する。
以下の説明では、事前準備の期間を補正期間ＴＳＥＴと称し、ＯＬＥＤ素子２３０に電流
が供給される期間を発光期間ＴＥＬと称する。補正期間ＴＳＥＴでは駆動トランジスタ２
１０のしきい値電圧Ｖｔｈに対する駆動電流ＩＥＬの電流量が補償される。また、補正期
間ＴＳＥＴは複数の水平走査期間に跨るように設定されている。なお、この例では、発光
期間ＴＥＬ中にデータ信号を画素回路２００に書き込む書込期間ＴＷＲＴが設けられてい
る。
【００２４】
まず、補正期間ＴＳＥＴにおいて、Ｙドライバ１４は、制御信号ＧＳＥＴ−ｉをＬレベ
ルにする一方、制御信号ＧＥＬ−ｉをＨレベルとする。このため、画素回路２００では、
図４に示されるように、Ｌレベルの制御信号ＧＳＥＴ−ｉによりトランジスタ２１２及び
２１３がオンし、Ｈレベルの制御信号ＧＥＬ−ｉによりトランジスタ２１１がオフする。
これにより、駆動トランジスタ２１０がダイオードとして機能すると共にノードＢに初期
化電圧として高位側電圧ＶＥＬが供給される。
【００２５】
ここで、駆動トランジスタ２１０のしきい値電圧をＶｔｈとすると、ノードＡの電位Ｖ
ｇは、図５に示すように「ＶＥＬ−Ｖｔｈ」に漸近する。トランジスタ２１２がオンとな
っても直ちに電位Ｖｇが「ＶＥＬ−Ｖｔｈ」とならないのは、トランジスタ２１２のオン
抵抗や容量２２２等によって等価的に積分回路が構成されているからである。従って、補
正期間ＴＳＥＴが短いとノードＡの電位Ｖｇが「ＶＥＬ−Ｖｔｈ」に近づかない。
【００２６】
次に、時刻ｔ１からの１Ｈ期間は、書込期間ＴＷＲＴである。この例では、発光期間Ｔ
ＥＬの一部に書込期間ＴＷＲＴが設けられている。書込期間ＴＷＲＴにおいては、走査信
号ＧＷＲＴ−ｉがＬレベルとなり、制御信号ＧＳＥＴ−ｉがＨレベルとなり、さらに制御
信号ＧＥＬ−ｉがＬレベルとなる。従って、図６に示すように駆動トランジスタ２１１及
びトランジスタ２１４がオンする一方、トランジスタ２１２及びトランジスタ２１３がオ
フする。
【００２７】
書込期間ＴＷＲＴにおいて、Ｘドライバ１６は、ｉ行ｊ列の画素の階調に応じた電圧の
データ信号Ｘ−ｊをｊ列目のデータ線１１２に供給する。表示すべき階調に応じたデータ
信号Ｘ−ｊのデータ電圧をＶdataとすると、Ｖdataは以下の式（ａ）で与えられる。
Ｖdata＝（ＶＥＬ−ΔＶ）……（ａ）
なお、ΔＶは、ＶＥＬからの電圧変化（下降）分であって、画素を最低階調の黒色に指
定する場合にはゼロであり、明るい階調を指定するにつれて次第に大きくなる。従って、
ノードＢの電圧は、補正期間ＴＳＥＴから書込期間ＴＷＲＴにかけて、ΔＶだけ変動する
。
【００２８】
一方、書込期間ＴＷＲＴにおいて、画素回路２００では、トランジスタ２１２がオフで
あるので、ノードＡは、容量２２２によって保持される。このため、ノードＡは、ノード
Ｂにおける電圧変化分ΔＶを容量２２１と容量２２２との容量比で配分した分だけ、補正
期間ＴＳＥＴの電圧ＶＥＬ−Ｖｔｈから下降する。
詳細には、容量２２１の容量値をＣａとし、容量２２２の容量値をＣｂとしたときに、
ノードＡは、電圧ＶＥＬ−Ｖｔｈから、｛ΔＶ・Ｃａ ／（Ｃａ＋Ｃｂ）｝だけ変化する
ので、結果的に、ノードＡの電圧Ｖｇは、次式のように表すことができる。
Ｖｇ＝ＶＥＬ−Ｖｔｈ−ΔＶ・Ｃａ ／（Ｃａ＋Ｃｂ）……（ｂ）
【００２９】
そして、書込期間ＴＷＲＴが終了すると、Ｙドライバ１４は、走査信号ＧＷＲＴ−ｉを
Ｈレベルとする。このため、画素回路２００では、図７に示されるように、トランジスタ
２１４がオフするが、容量２２１における電圧保持状態は変化しないので、ノードＡの電
圧Ｖｇは式（ｂ）で与えられる値に維持される。そして、ＯＬＥＤ素子２３０には、駆動
トランジスタ２１０のゲート・ソース間の電圧に応じた電流ＩＥＬが、給電線１１４→駆
動トランジスタ２１０→トランジスタ２１１→ＯＬＥＤ素子２３０→グランドＧＮＤとい
った経路にて流れる。これにより、ＯＬＥＤ素子２３０は、当該電流ＩＥＬに応じた明る
さで発光し続ける。
【００３０】
発光期間ＴＥＬにおいて、ＯＬＥＤ素子２３０に流れる電流ＩＥＬは、駆動トランジス
タ２１０のソース・ドレイン間の導通状態によって定まり、当該導通状態は、ノードＡの
電圧で設定される。ここで、駆動トランジスタ２１０のソースからみたゲートの電圧は、
「−（Ｖｇ−ＶＥＬ）」であるので、電流ＩＥＬは、次のように示される。
ＩＥＬ＝（β／２）（ＶＥＬ−Ｖｇ−Ｖｔｈ）２  ……（ｃ）
なお、この式においてβは、駆動トランジスタ２１０の利得係数である。
【００３１】
ここで、式（ｃ）に式（ａ）及び式（ｂ）を代入して整理すると、式（ｄ）が得られる
。
ＩＥＬ＝（β／２）｛ｋ・ΔＶ｝２  ……（ｄ）
但し、ｋは定数であってｋ＝Ｃａ ／（Ｃａ＋Ｃｂ）となる。この式（ｄ）に示される
ように、ＯＬＥＤ素子２３０に流れる電流ＩＥＬは、駆動トランジスタ２１０のしきい値
Ｖｔｈに依存することなく、データ電圧Ｖdataと電圧ＶＥＬとの差分ΔＶ（＝ＶＥＬ−Ｖ
data）のみによって定まる。
【００３２】
発光期間ＴＥＬが予め指定された期間だけ継続すると、Ｙドライバ１４は、制御信号Ｇ
ＥＬ−ｉをＨレベルにする。これにより、トランジスタ２１４がオフするので、電流経路
が遮断される結果、ＯＬＥＤ素子２３０は消灯する。
Ｙドライバ１４は、１行目から７２０行目までに対応する制御信号ＧＥＬ−１〜ＧＥＬ
−７２０のＬレベル期間が同一となるように制御する。換言すれば、すべてのＯＬＥＤ素
子２３０に対して、１垂直走査期間において発光期間ＴＥＬの占める割合が一定になるよ
うに制御する。このため、発光期間ＴＥＬを長くすると、画面全体が明るくなる一方、発
光期間ＴＥＬを短くすると、画面全体が暗くすることができる。
【００３３】
ここで、画面全体を最も明るくする設定１と中間の明るさの設定２を想定する。設定１
の場合、発光期間ＴＥＬは最長となり、１垂直走査期間（１Ｆ）のうち補正期間ＴＳＥＴ
を除いた全域となる。この場合の発光期間ＴＥＬをＴＥＬＡと補正期間ＴＳＥＴをＴＳＥ
ＴＡとすれば、発光期間ＴＥＬＡ及び補正期間ＴＳＥＴＡは図３に示すようになる。一方
、設定２の場合の発光期間ＴＥＬをＴＥＬＢと補正期間ＴＳＥＴをＴＳＥＴＢとすれば、
ＴＥＬＡ＞ＴＥＬＢ、且つ、ＴＳＥＴＡ＜ＴＳＥＴＢ、となる。即ち、Ｙドライバ１４は
、発光期間ＴＥＬの長さに応じて補正期間ＴＳＥＴの長さを調整する。より具体的には、
発光期間ＴＥＬの長さが短いほど、補正期間ＴＳＥＴの長さを長くする。
【００３４】
上述したように補正期間ＴＳＥＴでは駆動トランジスタ２１０のゲートとドレインを短
絡させてこれをダイオードとして機能させることによって、駆動トランジスタ２１０のし
きい値電圧Ｖｔｈに対応する電流となるようにノードＡの電圧Ｖｇが変化していく。ここ
で、ノードＡの電圧Ｖｇは「ＶＥＬ−Ｖｔｈ」と一致するのが理想であるが、実際には補
正期間ＴＳＥＴの長さによって制限される。
【００３５】
本実施形態では、補正期間ＴＳＥＴの長さは固定ではなく、発光期間ＴＥＬの長さが短
かくなると、補正期間ＴＳＥＴの長さを長くしている。Ｙドライバ１４は、発光期間ＴＥ
Ｌの長さが短いほど長くなるように補正期間ＴＳＥＴの長さを調整する手段として機能す
る。これにより、補正期間ＴＳＥＴの長さが長くなるにつれ、より正確にしきい値電圧Ｖ
ｔｈが補償され、表示ムラを改善することができる。人の視感度特性は暗い場合には僅か
な輝度の差でも検知する性質を有するので、特に、発光期間ＴＥＬの長さを短かくする場
合に有効である。
【００３６】
補正期間ＴＳＥＴにおいてトランジスタ２１１はオフとなる。しかし、実際にはオフ状
態においてもリーク電流が流れる。このため、補正期間ＴＳＥＴがあまりに長いとリーク
電流によって、表示輝度に誤差が生じてしまう。補正期間ＴＳＥＴの長さが長いほど、し
きい値電圧Ｖｔｈを充分補償して輝度ムラを改善できる一方、リーク電流による表示輝度
の誤差が大きくなる。逆に、補正期間ＴＳＥＴの長さが短いほど、しきい値電圧Ｖｔｈの
補償が不十分となり輝度ムラが発生する一方、リーク電流による表示輝度の誤差が改善さ
れる。すなわち、補正期間ＴＳＥＴの長さを設定する場合に、輝度ムラの改善と表示輝度
の正確さはトレードオフの関係にある。そこで、本実施形態においては、両者のバランス
が取れるように補正期間ＴＳＥＴの長さに最大値を設けている。Ｙドライバ１４は発光期
間ＴＥＬの長さが短くなっても所定の長さを超えないように補正期間ＴＳＥＴの長さを設
定する手段として機能する。より具体的には、補正期間ＴＳＥＴの長さの最大値を図５に
示すようにノードＡの電圧Ｖｇが「ＶＥＬ−１．１×Ｖｔｈ」となるように設定している
。すなわち、しきい値電圧Ｖｔｈに補償において１０％のズレを許容する。この程度であ
れば、人が見て輝度ムラが許容される範囲だからである。
【００３７】
このように補正期間ＴＳＥＴの長さに最大値を設けると、図３に示すように制御信号Ｇ
ＥＬ−ｉと制御信号ＧＳＥＴ−ｉとがともにＨレベルとなる期間Ｔｘが発生する。期間Ｔ
ｘにおいて、書込期間ＴＷＲＴ中に書き込まれた電圧が黒表示の電圧である場合はその状
態が維持されるので黒表示のままとなる。一方、白表示の場合は正常な画素の白に比べて
より明るくなってしまうが、もともと白表示のため完全な輝点欠陥とはならない。
【００３８】
ここでは、ｉ行ｊ列の画素回路２００の動作について説明したが、ｉ行の他の画素につ
いてもすべて補正期間ＴＳＥＴ及び発光期間ＴＥＬの動作が同時並列的に実行される。ま
た、ｉ行目について着目して説明したが、１行目から７２０行目までについては、１水平
走査期間（１Ｈ）ごとに順番に走査線１０２が選択されて、当該選択期間において書込期
間ＴＷＲＴの動作が実行される。そして、書込期間ＴＷＲＴの前には補正期間ＴＳＥＴが
実行され、補正期間ＴＳＥＴの後には発光期間ＴＥＬが、それぞれ実行される。
【００３９】
＜画素回路の他の構成例＞
図８に画素回路２００の他の構成例を示し、図９にそのタイミングチャートを示す。図
８に示す画素回路２０１は、高位側電圧ＶＥＬの替わりに初期化電圧ＶＩＮＩを供給する
点で図２に示す画素回路２００と相違する。具体的には、トランジスタ２１３のソースに
給電線１１６を介して初期化電圧ＶＩＮＩが供給され、そのゲートに制御線１０８を介し
て制御信号ＧＩＮＩ−ｉが供給される。
【００４０】
図９に示すように制御信号ＧＩＮＩ−ｉは補正期間ＴＳＥＴの直前に設けられた初期化
期間ＴＩＮＩにおいてＬレベルとなる。制御信号ＧＩＮＩ−ｉがＬレベルになるとトラン
ジスタ２１３がオンするので、ノードＢの電圧が初期化電圧ＶＩＮＩとなる。この後、補
正期間ＴＳＥＴにおいて制御信号ＧＩＮＩ−ｉがＨレベルとなる一方、制御信号ＧＳＥＴ
−ｉがＬレベルとなるので、トランジスタ２１３がオフすると共にトランジスタ２１２が
オンする。このとき駆動トランジスタ２１０のドレインとゲートが短絡されるので、その
しきい値電圧Ｖｔｈの補償動作が実行される。この画素回路２０１も上述した画素回路２
００の動作と同様に発光期間ＴＥＬの長さに応じて補正期間ＴＳＥＴの長さが調整される
。
【００４１】
＜電子機器＞
次に、上述した実施形態に係る発光装置１０を適用した電子機器について説明する。図
１０に、発光装置１０を適用したモバイル型のパーソナルコンピュータの構成を示す。パ
ーソナルコンピュータ２０００は、表示ユニットとしての発光装置１０と本体部２０１０
を備える。本体部２０１０には、電源スイッチ２００１及びキーボード２００２が設けら
れている。この発光装置１０はＯＬＥＤ素子２３０を用いるので、視野角が広く見易い画
面を表示できる。
図１１に、発光装置１０を適用した携帯電話機の構成を示す。携帯電話機３０００、複
数の操作ボタン３００１及びスクロールボタン３００２、並びに表示ユニットとしての発
光装置１０を備える。スクロールボタン３００２を操作することによって、発光装置１０
に表示される画面がスクロールされる。
図１２に、発光装置１０を適用した情報携帯端末（ＰＤＡ：Personal Digital Assista
nts）の構成を示す。情報携帯端末４０００は、複数の操作ボタン４００１及び電源スイ
ッチ４００２、並びに表示ユニットとしての発光装置１０を備える。電源スイッチ４００
２を操作すると、住所録やスケジュール帳といった各種の情報が発光装置１０に表示され
る。
なお、発光装置１０が適用される電子機器としては、図２０〜図２２に示すものの他、
デジタルスチルカメラ、液晶テレビ、ビューファインダ型、モニタ直視型のビデオテープ
レコーダ、カーナビゲーション装置、ページャ、電子手帳、電卓、ワードプロセッサ、ワ
ークステーション、テレビ電話、ＰＯＳ端末、タッチパネルを備えた機器等などが挙げら
れる。そして、これらの各種電子機器の表示部として、前述した発光装置１０が適用可能
である。また、直接画像や文字などを表示する電子機器の表示部に限られず、被感光体に
光を照射することにより間接的に画像もしくは文字を形成するために用いられる印刷機器
の光源として適用してもよい。
【図面の簡単な説明】
【００４２】
【図１】本発明の実施形態に係る発光装置の構成を示すブロック図である。
【図２】同発光装置の画素回路を示す回路図である。
【図３】同発光装置の動作を示すタイミングチャートである。
【図４】同画素回路の動作説明図である。
【図５】ノードＡの電圧変化を示す説明図である。
【図６】同画素回路の動作説明図である。
【図７】同画素回路の動作説明図である。
【図８】他の画素回路の構成例を示す回路図である。
【図９】同画素回路のタイミングチャートである。
【図１０】同発光装置を用いたパーソナルコンピュータを示す図である。
【図１１】同発光装置を用いた携帯電話を示す図である。
【図１２】同発光装置を用いた携帯情報端末を示す図である。
【符号の説明】
【００４３】
１０…発光装置、１２…制御回路、１４…Ｙドライバ、１６…Ｘドライバ、１０２…走
査線、１０４、１０６、１０８…制御線、１１２…データ線、１１４、１１６…給電線、
２００、２０１…画素回路、２１０…駆動トランジスタ、２１１、２１２、２１３、２１
４…トランジスタ、２２１、２２２…容量、２３０…ＯＬＥＤ素子。
【図１】
2006285117.tif 000003
【図２】
2006285117.tif 000004
【図３】
2006285117.tif 000005
【図４】
2006285117.tif 000006
【図５】
2006285117.tif 000007
【図６】
2006285117.tif 000008
【図７】
2006285117.tif 000009
【図８】
2006285117.tif 000010
【図９】
2006285117.tif 000011
【図１０】
2006285117.tif 000012
【図１１】
2006285117.tif 000013
【図１２】
2006285117.tif 000014